(57)【特許請求の範囲】
【請求項１】
複数枚の太陽光発電パネルを屋根に施工する太陽光発電パネルの施工方法であって、
縦方向又は横方向に隣り合う太陽光発電パネルの間に隙間を設けた状態で複数枚の太陽光発電パネルを屋根に配置するパネル配置工程と、
屋根における前記隙間に、防水性を有する、（旧）ＪＩＳ  Ｋ  ６３０１による硬度が２０〜８０度で厚さが５〜１００ｍｍの厚手シート状又はブロック状の弾性材を配置する弾性材配置工程と、
底板部と、底板部の両端から上向きに起立する一対の縦壁部と、それぞれの縦壁部から外方に延びる一対のフランジ部とで構成され、一対の縦壁部の高さが太陽光発電パネルの厚さよりも小さく設定された断面逆ハット型のパネル固定具を、その底板部下面が弾性材上面に載り、そのフランジ部下面が太陽光発電パネル上面から浮いた状態となるように、隣り合う太陽光発電パネルの隙間に局所的に配置する固定具配置工程と、
パネル固定具のフランジ部の下方に太陽光発電パネルの縁部が位置し、且つ、パネル固定具のフランジ部の下面と太陽光発電パネルの上面との間に上下方向の隙間が形成された状態で、パネル固定具の底板部の上面側から弾性材の下面側へ貫通するようにビス打ちすることにより、パネル固定具を屋根に固定するとともに、その際に弾性材が厚み方向に圧縮されて、パネル固定具のフランジ部が太陽光発電パネルの縁部を下向きに押し付けた状態となることにより、太陽光発電パネルが屋根に固定されるパネル固定工程と
を経ることを特徴とする太陽光発電パネルの施工方法。
【請求項２】
パネル固定工程の後、パネル固定具におけるビス打ちされた箇所に防水シールを施す防水シール工程を設けた請求項１記載の太陽光発電パネルの施工方法。
【請求項３】
屋根の勾配方向に沿って複数本の縦桟を所定間隔で固定し、パネル配置工程において太陽光発電パネルを縦桟の上側に配置し、弾性材配置工程において前記隙間から覗く縦桟の上側に弾性材を配置する請求項１又は２記載の太陽光発電パネルの施工方法。
【発明の詳細な説明】
【技術分野】
【０００１】
本発明は、太陽光発電パネルを屋根に施工するための太陽光発電パネルの施工方法に関する。
【背景技術】
【０００２】
従来より、自然エネルギーを利用した発電方法として太陽光発電が知られている。太陽光発電は、近年、発電効率の高い太陽光発電パネルが安くなってきたことに加え、原子力発電に対する安全性が疑問視されるようになってきたことや、火力発電に対する環境負荷が問題視されるようになってきたことなどにより、その需要を高めている。これに呼応して、近年、屋根に太陽光発電パネルを取り付けた住宅を多く見かけるようになっている。
【０００３】
屋根に太陽光発電パネルを施工する方法は、太陽光発電パネルのメーカーや施工業者などにより、様々であるが、屋根に専用の固定金具（パネル固定具）を固定し、該固定金具に対して太陽光発電パネルを固定する方法が一般的となっている（例えば、特許文献１及び特許文献２を参照。）。しかし、この方法は、予め固定金具を屋根に対して正確に位置決めする必要があったため、必ずしも容易に行うことができなかった。また、太陽光発電パネルの寸法はメーカーによって異なるため、太陽光発電パネルのメーカーが変わると、それに応じて固定金具を変える必要があり、煩わしかった。さらに、専用の固定金具は、太陽光発電パネル１ｋＷ分を固定するのに約１万円も要するなど、非常に高価であった。
【先行技術文献】
【特許文献】
【０００４】
【特許文献１】特開２００９−２６３８７５号公報
【特許文献２】特開２０１１−０８４９１９号公報
【発明の概要】
【発明が解決しようとする課題】
【０００５】
本発明は、上記課題を解決するためになされたものであり、屋根に対してパネル固定具を予め正確に位置決めしておく必要がなく、太陽光発電パネルを屋根に対して容易に固定することができる太陽光発電パネルの施工方法を提供するものである。また、太陽光発電パネルの寸法が変わった場合であっても容易に対応することのできる太陽光発電パネルの施工方法を提供することも本発明の目的である。さらに、施工コストを安く抑えることができる太陽光発電パネルの施工方法を提供することも本発明の目的である。
【課題を解決するための手段】
【０００６】
上記課題は、
複数枚の太陽光発電パネルを屋根に施工する太陽光発電パネルの施工方法であって、
縦方向又は横方向に隣り合う太陽光発電パネルの間に隙間を設けた状態で複数枚の太陽光発電パネルを屋根に配置するパネル配置工程と、
屋根における前記隙間に、防水性を有する弾性材を配置する弾性材配置工程と、
底板部と、底板部の両端から上向きに起立する一対の縦壁部と、それぞれの縦壁部から外方に延びる一対のフランジ部とで構成される断面逆ハット型のパネル固定具を、その底板部下面が弾性材上面に載り、そのフランジ部下面が太陽光発電パネル上面から浮いた状態となるように配置する固定具配置工程と、
パネル固定具のフランジ部の下方に太陽光発電パネルの縁部が位置する状態で、その底板部の上面側から弾性材の下面側へ貫通するようにビス打ちすることにより、パネル固定具を屋根に固定するとともに、その際に弾性材が厚み方向に圧縮されてパネル固定具のフランジ部が太陽光発電パネルの縁部を下向きに押し付けることにより、太陽光発電パネルが屋根に固定されるパネル固定工程と
を経ることを特徴とする太陽光発電パネルの施工方法
を提供することによって解決される。
【０００７】
これにより、屋根に複数枚の太陽光発電パネルを配置した後、隣り合う太陽光発電パネルの隙間にパネル固定具を固定することにより、太陽光発電パネルを屋根に固定することが可能になる。したがって、パネル固定具を予め正確に位置決めしておかなくても、太陽光発電パネルを屋根に固定することが可能になる。その施工に要する時間は、従来の方法に比べて３分の１程度まで短縮することが可能である。加えて、使用するパネル固定具は、簡素な構造のものであるので、従来の方法で使用する専用のパネル固定具と比較して、その価格を１０分の１程度に抑えることも可能である。また、弾性材を介してパネル固定具を屋根に対して固定するようにしたことにより、太陽光発電パネルの縁部は、適度な力でしっかりと下側に押し付けられた状態となる。加えて、施工する太陽光発電パネルの厚みが変わっても、弾性材として厚さに余裕があるものを使用すれば、使用するパネル固定具を取り換えることなく、容易に対応することが可能になる。この場合、弾性材を厚さの異なるものに取り換える（弾性材を複数枚が積層された構造とする場合には、その枚数を変化させる場合を含む。）ことによっても対応可能である。
【０００８】
本発明の太陽光発電パネルの施工方法において、パネル配置工程と、弾性材配置工程及び固定具配置工程との順序は、逆であってもよい。すなわち、弾性材配置工程を行った後に、パネル配置工程と固定具配置工程とをこの順で行うようにしてもよいし、弾性材配置工程と固定具配置工程（固定具配置工程では、パネル固定具をビスで仮留めしておいてもよい。）とをこの順で行った後に、パネル配置工程を行ってもよい。後者の場合には、パネル配置工程において、既に屋根に配置されているパネル固定具のフランジ部に太陽光発電パネルが当たらないように、前記隙間の範囲にパネル固定具が収まるようにパネル固定具の向きを変えておく。本発明の太陽光発電パネルの施工方法で使用するパネル固定具は、一対のフランジ部を有しており、そのフランジ部が太陽光発電パネルの縁部に掛かる範囲で太陽光発電パネルの配置間隔の誤差を許容することができるため、パネル配置工程よりも先に弾性材配置工程や固定具配置工程を行う場合であっても、弾性材やパネル固定具の位置決めにはそれほど高い精度が要求されず、施工が困難とはならないからである。
【０００９】
本発明の太陽光発電パネルの施工方法において、弾性材の厚さ（自然状態の厚さ。複数枚の弾性材を使用する場合には、その合計の厚さ。以下同じ。）は、弾性材の硬度などによっても異なり、特に限定されない。しかし、弾性材を薄くしすぎると、弾性材の厚さの変化の幅が小さくなる。このため、弾性材の厚さは、通常、２ｍｍ以上とされる。弾性材の厚さは、５ｍｍ以上であると好ましく、７ｍｍ以上であるとより好ましく、１０ｍｍ以上であるとさらに好ましい。一方、弾性材を厚くしすぎると、太陽光発電パネルの縁部がパネル固定具のフランジ部で押さえ付けられるようになるまでに、大きなトルクを要するようになる。このため、弾性材の厚さは、通常、１００ｍｍ以下とされる。弾性材の厚さは、７０ｍｍ以下であると好ましく、５０ｍｍ以下であるとより好ましい。弾性材の硬度（ＪＩＳ  Ｋ  ６３０１に準拠した硬度）は、特に限定されないが、通常、２０〜８０度の範囲である。弾性材の硬度を低目に設定する場合（弾性材を柔らか目とした場合）には、弾性材の硬度を高めに設定した場合（弾性材を硬めとした場合）よりも、弾性材を厚くすることができる。
【００１０】
本発明の太陽光発電パネルの施工方法において、屋根におけるビスが打たれた箇所（パネル固定工程の際にビスが打たれた箇所）は、パネル固定具と屋根との間に配された弾性材によって防水性が保たれている。しかし、パネル固定工程の後、パネル固定具におけるビス打ちされた箇所に防水シールを施す防水シール工程を設けることも好ましい。これにより、その部分の防水性をさらに高め、屋根の雨漏りをより確実に防止することができる。この防水シール工程は、パネル固定具に打ち込まれたビスの上側を防水シールで覆うことなどにより行うことができる。
【００１１】
本発明の太陽光発電パネルの施工方法においては、屋根の勾配方向に沿って複数本の縦桟を所定間隔で固定し、パネル配置工程において太陽光発電パネルを縦桟の上側に配置し、弾性材配置工程において前記隙間から覗く縦桟の上側に弾性材を配置することも好ましい。このように、縦桟に対して太陽光発電パネルを取り付けることにより、雨水の通り道になりにくい高くなった場所で太陽光発電パネルを固定することが可能になり、雨漏りをより確実に防止することが可能になる。また、別途、専用の架台などを使用しなくても、太陽光発電パネルを屋根に対して安定した状態で固定することができるので、施工も容易である。
【発明の効果】
【００１２】
以上のように、本発明によって、屋根に対してパネル固定具を予め正確に位置決めしておく必要がなく、太陽光発電パネルを屋根に対して容易に固定することができる太陽光発電パネルの施工方法を提供することが可能になる。また、太陽光発電パネルの寸法が変わった場合であっても容易に対応することのできる太陽光発電パネルの施工方法を提供することも可能になる。さらに、施工コストを安く抑えることができる太陽光発電パネルの施工方法を提供することも可能になる。
【図面の簡単な説明】
【００１３】
【図１】本発明の太陽光発電パネルの施工方法において、弾性材の上側に載せたパネル固定具に対してビスを打つ前の状態の屋根を示した拡大断面図である。
【図２】本発明の太陽光発電パネルの施工方法において、弾性材の上側に載せたパネル固定具に対してビスを打った後の状態の屋根を示した拡大断面図である。
【図３】所定間隔を隔てて敷かれたそれぞれの防水シートに対して縦桟を固定した状態の屋根を示した斜視図である。
【図４】図３における縦桟を水切りカバーで覆った状態の屋根を示した斜視図である。
【図５】図４における水切りカバーに対して複数枚の太陽光発電パネルを横方向に並べて固定した状態の屋根を示した斜視図である。
【図６】図４における水切りカバーに対して複数枚の太陽光発電パネルを縦方向に並べて固定した状態の屋根を示した斜視図である。
【図７】図６における一のパネル固定具の周辺を屋根に垂直な平面で切断した状態を示した拡大断面図である。
【発明を実施するための形態】
【００１４】
１．本発明の太陽光発電パネルの施工方法の概要
本発明の太陽光発電パネルの施工方法の好適な実施態様について、図面を用いてより具体的に説明する。図１は、本発明の太陽光発電パネルの施工方法において、弾性材２０の上側に載せたパネル固定具１０に対してビス３０を打つ前の状態の屋根１００を示した拡大断面図である。図２は、本発明の太陽光発電パネルの施工方法において、弾性材２０の上側に載せたパネル固定具１０に対してビス３０を打った後の状態の屋根１００を示した拡大断面図である。図３は、所定間隔を隔てて敷かれたそれぞれの防水シート４０に対して縦桟５０を固定した状態の屋根１００を示した斜視図である。図４は、図３における縦桟５０を水切りカバー６０で覆った状態の屋根１００を示した斜視図である。図５は、図４における水切りカバー６０に対して複数枚の太陽光発電パネル２００を横方向に並べて固定した状態の屋根１００を示した斜視図である。図６は、図４における水切りカバー６０に対して複数枚の太陽光発電パネル２００を縦方向に並べて固定した状態の屋根１００を示した斜視図である。図７は、図６における一のパネル固定具１０の周辺を屋根１００に垂直な平面で切断した状態を示した拡大断面図である。
【００１５】
図１〜７においては、ｘ軸、ｙ軸、ｙ’軸、ｚ軸、ｚ’軸を表記してある。ｘ軸は、水平方向東向きとなっており、ここでは、屋根１００の棟方向と平行になるように描いている。また、ｙ軸は、水平方向北向きとなっており、ｙ’軸は、屋根１００の勾配方向上向きとなっている。さらに、ｚ軸は、鉛直方向上向きとなっており、ｚ’軸は、屋根１００の法線方向上向きとなっている。これらは、あくまで説明の便宜のために表記したものであり、本発明の太陽光発電パネルの施工方法の実施態様を限定するものではない。
【００１６】
本発明の太陽光発電パネルの施工方法は、パネル配置工程と、弾性材配置工程と、固定具配置工程と、パネル固定工程とを経ることにより、図６や図７に示すように、屋根１００に対して複数枚の太陽光発電パネル１００を施工するためのものとなっている。以下、これらの工程について、詳しく説明する。
【００１７】
２．パネル配置工程
パネル配置工程は、隣り合う太陽光発電パネル２００の間に隙間Ｇ（図１を参照）を設けた状態で複数枚の太陽光発電パネル２００を屋根１００に対して配置する工程となっている。複数枚の太陽光発電パネル２００は、縦方向（屋根の勾配方向）又は横方向（屋根の棟方向）の少なくとも一方に並べて配置すればよい。本実施態様の施工方法では、縦方向及び横方向の両方に並べて配置している。太陽光発電パネル２００は、屋根１００に直接的に載せてもよいし、必要に応じて、スペーサ―や滑り止めシートなど、他の部材を介して載せてもよい。
【００１８】
太陽光発電パネル２００の間に設けた隙間Ｇ（図１を参照）は、後述するパネル固定工程において、パネル固定具１０を固定するための箇所となっている。このため、隙間Ｇの幅は、パネル固定具１０における一対の縦壁部１２の外面の間隔よりも広く、一対のフランジ部１３の先端面の間隔よりも狭く形成される。このように、隙間Ｇの幅には許容される範囲があるので、太陽光発電パネル２００の位置決めに高い精度は要求されない。したがって、屋根１００に対して太陽光発電パネル２００を容易に配置することができる。図１において、隙間Ｇは、縦方向（屋根の勾配方向）に隣り合う太陽光発電パネル２００の間に設けているが、横方向（屋根の棟方向）に隣り合う太陽光発電パネル２００の間に設けてもよい。
【００１９】
３．弾性材配置工程
弾性材配置工程は、屋根１００における隙間Ｇ（図１を参照）に、防水性を有する弾性材２０を配置する工程である。弾性材２０は、パネル固定具１０にビス３０を打ち込んだ際に圧縮されるパッキンとしての機能を有するほか、屋根１００におけるビス３０が打ち込まれた箇所の防水性を確保する機能をも有している。弾性材２０は、隙間Ｇに沿って延びる長手状のものを使用してもよいが、本実施態様の施工方法では、隙間Ｇにおけるパネル固定金具２０を配置する箇所のみに局所的に配される片状のものを使用している。弾性材１０の寸法は、隙間Ｇに収容できるのであれば特に限定されないが、上述した理由により、その厚さをある程度大きくし、厚手のシート状（若しくはブロック状）としておくと好ましい。本実施態様の施工方法において、弾性材１０の厚さは、２０〜３０ｍｍとなっている。弾性材１０は、互いに積層された複数枚の弾性シートにより構成してもよい。弾性材１０の素材は、防水性と弾性を有するのであれば特に限定されないが、合成ゴムや天然ゴムなどのゴムを含む各種エラストマーを用いることができる。
【００２０】
４．固定具配置工程
固定具配置工程は、弾性材配置工程で屋根１００に配置された弾性材２０にパネル固定具１０を載せる工程である。パネル固定具１０は、底板部１１と、底板部１１の両端から上向きに起立する一対の縦壁部１２と、それぞれの縦壁部１２から外方に延びる一対のフランジ１３部とで構成された断面逆ハット型のものとなっている。底板部１１には、ビス３０を打ち込むための貫通孔１１ａが設けられている。このパネル固定具１０を、その底板部１１の下面が弾性材２０の上面に載り、そのフランジ部１３の下面が太陽光発電パネル２００の上面から浮いた状態となるように配置する。パネル固定具１０は、通常、金属板に折り曲げ加工を施すことにより形成される。
【００２１】
パネル固定具１０は、隙間Ｇに収容できるのであれば、その寸法を特に限定されない。しかし、パネル固定具１０における底板部１１の幅（図１におけるｙ’軸に沿った方向での幅。以下同じ）が狭すぎると、パネル固定具１０の安定性が悪くなるだけでなく、ビス３０を打つ際に、底板部１１から弾性材２０に局所的な力が加わって、弾性材２０が破損するおそれもある。このため、底板部１１の幅は、通常、１０ｍｍ以上とされる。底板部１１の幅は、１５ｍｍ以上であると好ましく、２０ｍｍ以上であるとより好ましい。一方、底板部１１の幅が広すぎると、隙間Ｇの幅も必然的に広くなり、屋根１００に太陽光発電パネル２００を効率的に配置することが難しくなる。このため、底板部１１の幅は、通常、１５０ｍｍ以下とされる。底板部１１の幅は、１２０ｍｍ以下であると好ましく、１００ｍｍ以下であるとより好ましい。
【００２２】
また、パネル固定具１０における縦壁部１２の高さ（図１におけるｚ’軸に沿った方向での高さ。以下同じ。）を低くしすぎると、弾性材２０の厚さを大きくしなければならなくなる。太陽光発電パネル２００の厚さがメーカーによって異なることは既に述べたが、概ね３０ｍｍ以上であることを考慮すると、縦壁部１２の高さは、通常、５ｍｍ以上とされる。縦壁部１２の高さは、１０ｍｍ以上であると好ましく、１５ｍｍ以上であるとより好ましい。一方、縦壁部１２の高さを高くしすぎると、ビス３０を打ってもフランジ部１３で太陽光発電パネル２００を押さえ付けることができなくなるおそれがある。各メーカーの太陽光発電パネル２００の厚さが概ね６０ｍｍ以下であることを考慮すると、縦壁部１２の高さは、通常、５０ｍｍ以下とされる。縦壁部１２の高さは、４０ｍｍ以下であると好ましく、３５ｍｍ以下であるとより好ましい。
【００２３】
さらに、パネル固定具１０におけるフランジ部１３の突出幅（図１におけるｙ’軸に沿った方向での幅。以下同じ。）を狭くしすぎると、フランジ部１３で太陽光発電パネル２００をしっかりと押さえ付けることができなくなるおそれがある。また、隙間Ｇの幅に許容される範囲が狭くなり、太陽光発電パネル２００をある程度正確に位置決めする必要が生じる。このため、フランジ部１３の突出幅は、通常、１０ｍｍ以上とされる。フランジ部１３の突出幅は、１５ｍｍ以上であると好ましく、２０ｍｍ以上であるとより好ましい。一方、フランジ部１３の突出幅を広くしすぎると、太陽光発電パネル２００の押さえ付けに寄与しない無駄な部分が大きくなるばかりか、フランジ部１３が太陽光発電パネル２００における受光部を覆ってしまうようになるおそれもある。このため、フランジ部１３の突出幅は、通常、１００ｍｍ以下とされる。フランジ部１３の突出幅は、７０ｍｍ以下であると好ましく、５０ｍｍ以下であるとより好ましい。
【００２４】
５．パネル固定工程
パネル固定工程は、図１と図２に示すように、パネル固定具１０のフランジ部１３の下方に太陽光発電パネル２００の縁部が位置する状態で、その底板部１１の上面側から弾性材２０の下面側へ貫通するようにビス３０を打つことにより、パネル固定具１０及び太陽光発電パネル２００を屋根１００に固定する工程である。本実施態様の施工方法では、図２に示すように、ビス３０は、屋根材１０３（上葺き材及び／又は下葺き材）と野地板１０２も貫通し、その下側の垂木１０１まで達する長さのものを使用している。これにより、太陽光発電パネル２００を屋根１００に対してより強固に固定することができる。ビス３０を打ち込むと、弾性材２０は、図２に示すように、厚み方向に圧縮されて、パネル固定具１０のフランジ部１３は、太陽光発電パネル２００の縁部上面を下向きに押し付けた状態となる。上側のフランジ部１３は、上側に配された太陽光発電パネル２００を押さえ付け、下側のフランジ部１３は、下側に配された太陽光発電パネル２００を押さえ付ける。
【００２５】
１枚の太陽光発電パネル２００を固定するのに用いるパネル固定具１０の数は、太陽光発電パネル２００の寸法などによっても異なり、特に限定されない。本実施態様の施工方法においては、図５及び図６に示すように、４つのパネル固定具１０で１枚の太陽光発電パネル２００を固定している。図５においては、各太陽光発電パネル２００の上縁左側及び上縁右側並びに下縁左側及び下縁右側にパネル固定具１０を設け、図６においては、各太陽光発電パネル２００の左縁上側及び左縁下側並びに右縁上側及び右縁下側にパネル固定具１０を設けている。それぞれのパネル固定具１０は、その両側に配された太陽光発電パネル２００を押さえ付けている。パネル固定工程を後えた後には、パネル固定具１０におけるビス３０が打たれた箇所（底板部１１の上面）に、図示省略の防水シールを施す防水シール工程を設けてもよい。全てのパネル固定具１０にビス３０を打ち込み、全ての太陽光発電パネル２００を屋根１００に固定すると、本発明の太陽光発電パネルの施工方法は完了する。
【００２６】
６．その他
本発明の太陽光発電パネルの施工方法は、その用途を限定されず、切妻屋根や寄棟屋根など、各種の屋根で採用することができる。また、屋根に敷かれた屋根材（上葺き材）の種類も限定されず、ガルバニウム鋼板や、洋瓦や、和瓦や、スレート瓦など、各種の屋根材において採用することができる。屋根材（上葺き材）が敷かれていない屋根に対しても採用することができる。ところで、スレート瓦などの屋根材は、ビスを打ち込むと割れやすく、その部分で雨漏りが生じるおそれがある。本発明の太陽光発電パネルの施工方法では、上述した通り、ビスを打ち込む箇所に防水性を有する弾性材２０を配しているため、雨漏りのリスクは最小限に抑えられるが、さらに雨漏りが生じにくくするため、以下のような方法を採用することができる。
【００２７】
まず、図３に示すように、屋根１００の勾配方向（図中のｙ’軸方向）に沿って複数枚の帯状の防水シート４０を所定間隔で敷き、各防水シート４０の上面に縦桟５０を固定する。縦桟５０は、屋根１００の野地板１０２の下側にある垂木１０１と重なるように配し、ビスなどを縦桟５０の上面から垂木１０１に達するように打ち込む（図７において破線で描いたビスを参照。）ことで固定することができる。縦桟３０は、木材などを使用してもよいが、樹脂など、腐食しにくい素材で形成された角材を使用すると好ましい。縦桟５０の高さ（厚さ）は、特に限定されないが、ある程度高くした方が、パネル固定具１０を固定する箇所を雨水が流れにくくすることができる（パネル固定具１０は、後述するように縦桟５０の上側に固定される。）。一方、縦桟５０を高くしすぎると、縦桟５０の安定性が悪くなるだけでなく、縦桟５０をビスなどで屋根１００に固定しにくくなるおそれがある。このため、縦桟５０の高さは、通常、１０〜１００ｍｍ、好ましくは、２０〜５０ｍｍとされる。
【００２８】
縦桟５０を固定すると、続いて、図４に示すように、それぞれの縦桟５０の上側に水切りカバー６０を被せる。それぞれの水切りカバーは、天板部６１と、天板部６１の両端縁から下向きに延びる一対の縦壁部６２と、縦壁部６２の下端縁から外方に延びる一対のフランジ部６３とで構成された断面ハット型のものとなっており、その下面に上向きの凹溝を有する形態となっている。水切りカバー６０は、その凹溝の内部に縦桟５０が収容されるように縦桟５０に被せる。本実施態様の施工方法においては、１本の縦桟５０に対して、複数枚（図４の例では２枚）の水切りカバー６０を互いに重なるように被せている。すなわち、下側に配された水切りカバー６０の上部が上側に配された水切りカバー６０の下部で覆うように配している。これにより、太陽光発電パネル２００の縦寸法や設置段数などが異なり、縦桟５０の長さが異なる場合であっても、上側の水切りカバー６０を下側の水切りカバーに対して屋根１００の勾配方向にスライドさせ、各水切りカバー６０を重ねる部分の長さを調節することにより容易に対応することができる。水切りカバー６０は、通常、ガルバニウム鋼板などの金属板を折曲げ加工したものが用いられる。
【００２９】
水切りカバー６０を屋根１００に対して固定すると、続いて、図５又は図６に示すように、複数枚の太陽光発電パネル２００を水切りカバー６０の上側に配置し（太陽光発電パネル配置工程を行い）、各太陽光発電パネル２００の隙間から覗く水切りカバー６０の上側に弾性材２０を配置する（弾性材配置工程を行う）とともに、各弾性材２０の上側にパネル固定具１０を載せる（固定具配置工程を行う。）。図５は、横方向（ｘ軸方向）に並べられた太陽光発電パネル２００の上縁及び下縁をパネル固定具１０で固定した場合、図６は、縦方向（ｙ’軸方向）に並べられた太陽光発電パネル２００の左縁及び右縁をパネル固定具１０で固定した場合を示している。その後、ビス３０を打つことにより、パネル固定工程を行うことや、防水シール工程を行うと好ましいことなどについては、上述した内容と同様であるため、説明を割愛する。
【００３０】
以上の施工方法で施工された屋根は、図７に示す状態となっている。屋根材１０３におけるビスが打たれた箇所は、防水シート４０と縦桟５０と水切りカバー６０と弾性材２０と固定金具１０とビス３０の頭部とで覆われた状態となっている。このうち、防水シート４０と弾性材２０は、屋根の防水性を高めるのに大きく寄与している。とくに、防水シート４０によって屋根材１０３の広い範囲が覆われているので、仮に、屋根材１０３におけるビスが打たれた箇所の周辺が割れた場合であっても、屋根の防水性を維持し、雨漏りを防ぐことができる。この構成は、屋根材１０３がスレートなど割れやすいものである場合に好適である。上述した防水シール工程を行えば、屋根の防水性をさらに高めることができる。
【符号の説明】
【００３１】
１０    パネル固定具
１１    底板部
１１ａ  貫通孔
１２    縦壁部
１３    フランジ部
２０    弾性材
３０    ビス
４０    防水シート
５０    縦桟
６０    水切りカバー
６１    天板部
６２    縦壁部
６３    フランジ部
１００    屋根
１０１    垂木
１０２    野地板
１０３    屋根材
１０４    下葺き材
２００    太陽光発電パネル
Ｇ    隙間
【図１】
0006474185.tif 000002
【図２】
0006474185.tif 000003
【図３】
0006474185.tif 000004
【図４】
0006474185.tif 000005
【図５】
0006474185.tif 000006
【図６】
0006474185.tif 000007
【図７】
0006474185.tif 000008